(57)【要約】【課題】意匠性に優れ、商品収容部の上端開口を密閉するシール材を引き剥がした状態においても、蓋体部分の脱落を防止してその上端開口を開閉する紙缶容器を提供する。【解決手段】上端に内方カーリング部２１３Ａが形成された円筒状の内筒部２１、内筒部２１の内方カーリング部２１３Ａに貼着されたシール材２３および内筒部２１の下端に貼着された底面板からなる内筒体２と、上端にカーリング部３１２Ａが形成されるとともに、上部に略Ｖ字状の切り裂き目が両端接着部を除いて形成された円筒状の外筒部３１および外筒部３１のカーリング部３１２Ａに貼着された天面板３２からなる外筒体３とから構成される。そして、外筒体３は内筒体２の外周面に嵌挿されることによって紙缶容器１が形成される。【選択図】図１
2010254319.tif 000002
【特許請求の範囲】
【請求項１】
上端に内方カーリング部が形成された円筒状の内筒部、内筒部の内方カーリング部に貼着されたシール材および内筒部の下端に貼着された底面板からなる内筒体と、上端にカーリング部が形成されるとともに、上部に略Ｖ字状の切り裂き目が両端接着部を除いて形成された円筒状の外筒部および外筒部のカーリング部に貼着された天面板からなる外筒体とから構成され、前記外筒体は、内筒体の外径に対応する内径を有するとともに、内筒体の高さよりも若干大きな高さを有して内筒体の外周面に嵌挿されたことを特徴とする紙缶容器。
【発明の詳細な説明】
【技術分野】
【０００１】
本発明は、紙缶容器に関するものである。
【背景技術】
【０００２】
近年、食品や菓子などを収容する容器として、コストの観点から金属缶に代えて紙製の容器である紙缶容器が採用されるようになっている。
【０００３】
この紙缶容器は、例えば、特許文献１に示されるように、円筒状胴部の上端部に蓋体を着脱自在に嵌挿して構成されている。そして、紙缶容器に食品などを収容して出荷する場合、異物の混入を防止するために上端開口はシール材によって密閉されている。
【先行技術文献】
【特許文献】
【０００４】
【特許文献１】特開平９−２０３５４号公報
【発明の概要】
【発明が解決しようとする課題】
【０００５】
しかしながら、前述した紙缶容器においては、円筒状胴部と蓋体とを別個に形成し、食品などを収容した後、円筒状胴部に蓋体を嵌挿しなければならず、蓋体が脱落し易いという欠点があった。特に、商品を取り出すためにシール材を引き剥がした後に、蓋体が脱落して紛失すると、商品は直接外部に露出することになり、商品が食品の場合には衛生上好ましくない。また、円筒状胴部の外周面に蓋体が板厚分積層されて凹凸が発生し、意匠性が低下するという欠点があった。
【０００６】
本発明は、このような問題点に鑑みてなされたもので、凹凸がないために意匠性に優れるとともに、商品収容部の上端開口を密閉するシール材を引き剥がした状態においても、蓋体部分の脱落を防止してその上端開口を容易に開閉することのできる紙缶容器を提供するものである。
【課題を解決するための手段】
【０００７】
本発明は、上端に内方カーリング部が形成された円筒状の内筒部、内筒部の内方カーリング部に貼着されたシール材および内筒部の下端に貼着された底面板からなる内筒体と、上端にカーリング部が形成されるとともに、上部に略Ｖ字状の切り裂き目が両端接着部を除いて形成された円筒状の外筒部および外筒部のカーリング部に貼着された天面板からなる外筒体とから構成され、前記外筒体は、内筒体の外径に対応する内径を有するとともに、内筒体の高さよりも若干大きな高さを有して内筒体の外周面に嵌挿されたことを特徴とするものである。
【０００８】
本発明によれば、内筒体および外筒体が個別に組み立てられ、内筒体に外筒体を嵌挿して紙缶容器を形成することから、内筒体に収容された商品をシール材によって確実に密閉することができる。そして、外筒体に形成された切り裂き目に沿って切り裂いて上方部分と下方部分に分離させることにより、外筒体の両端接着部分をヒンジとして、天面板を設けた外筒体の上方部分を下方部分に対して回動させることにより、内筒体の上端開口を開閉する蓋体として機能させることができる。
【０００９】
この結果、切り裂き目が形成されていない外筒体の両端接着部分がヒンジとなって、蓋体としての外筒体の上方部分の脱落を防止することができるとともに、内筒体の外周面を開閉時のガイドとして内筒体の上端開口を容易に開閉することができる。また、紙缶容器の外周面に凹凸が発生せず、意匠性に優れたものとなる。さらに、内筒体は、外筒体とは別個に組み立てられることから、内筒体に収容された商品をシール材によって密閉することができ、製造工程における異物の混入を可及的に防止することができる。
【発明の効果】
【００１０】
本発明によれば、凹凸がないために意匠性に優れるとともに、商品収容部の上端開口を密閉するシール材を引き剥がした状態においても、蓋体部分の脱落を防止してその上端開口を容易に開閉することができる。
【図面の簡単な説明】
【００１１】
【図１】本発明の紙缶容器の一実施形態を示す斜視図である。
【図２】図１の紙缶容器を分解して示す斜視図である。
【図３】図１の紙缶容器の内筒体の半断面図である。
【図４】図１の紙缶容器の外筒体の半断面図である。
【図５】図１の紙缶容器を構成する内筒体の展開図である。
【図６】図１の紙缶容器を構成する外筒体の展開図である。
【発明を実施するための形態】
【００１２】
以下、本発明の実施の形態を図面に基づいて説明する。
【００１３】
図１および図２には、本発明の紙缶容器１の一実施形態が示されている。
【００１４】
この紙缶容器１は、菓子、例えば、タブレット状のガムを収容するものであり、コートボールを展開図にしたがって打ち抜いた後、各構成部品を貼着して組み立てられる。そして、紙缶容器１にガムを収容して包装した後、出荷される。
【００１５】
この包装容器１は、個別に組み立てられた内筒体２および外筒体３から構成され、内筒体２にガムを供給してシール材２３を介して密閉した後、内筒体２の外周面に外筒体３を嵌挿して形成される。
【００１６】
内筒体２は、図５の展開図において、内筒部２１、底面板２２およびシール材２３から構成されている。
【００１７】
内筒部２１は、内筒本体２１１の左端縁に糊代２１２が連設される一方、内筒本体２１１の上端縁にカーリング形成部２１３が折り目２１ａを介して連設されるとともに、その下端縁に折り返し形成部２１４が折り目２１ｂを介して連設されて形成されている。
【００１８】
なお、内筒部２１の内筒本体２１１は、後述する外筒部３１の外筒本体３１１の内周長に相当する横寸法と、その高さよりも若干小さな縦寸法との方形に形成されている。
【００１９】
底面板２２は、内筒部２１の直径に略相当する直径の底面本体２２１の周縁に折り返し形成部２２２が折り目２２ａを介して連設された円板に形成されている。
【００２０】
シール材２３は、ラミネートフィルムからなり、内筒部２１の直径に略相当する直径のシール材本体に摘まみ部２３１を有して形成されている。
【００２１】
外筒体３は、図６の展開図において、外筒部３１および天面板３２から構成されている。
【００２２】
外筒部３１は、外筒本体３１１の左端縁に糊代３１２が連設される一方、外筒本体３１１の上端縁にカーリング形成部３１２が折り目３１ａを介して連設されて形成されている。そして、外筒部３１の外筒本体３１１には、その上端部近傍において糊代３１２および該糊代３１２に貼着される右端縁部にそれぞれ横方向に延びる折り目３１ｂ，３１ｂが左右対称に形成されるとともに、これらの折り目３１ｂ，３１ｂの内端縁に連続して、中央に向かって緩やかにほぼ直線状に下降する一対の切り裂き目３１ｃ，３１ｃが全体として略Ｖ字状となるように、左右対称に形成されている。また、外筒部３１の外筒本体３１１の左右方向略中央部には、一対の切り裂き目３１ｃ，３１ｃに跨がって略楕円状の穴３１ｄが形成されている。
【００２３】
なお、外筒部３１の外筒本体３１１は、紙缶容器１の外周長に相当する横寸法と、その高さに相当する縦寸法との方形に形成されている。
【００２４】
天面板３２は、外筒部３１の直径に略相当する直径の円板に形成されている。
【００２５】
次に、このように構成された紙缶容器１の組み立て手順について説明する。
【００２６】
まず、図５の展開図にしたがってコートボールから内筒部２１および底面板２２を打ち抜く。そして、内筒部２１の裏面が上面を向くように反転させた後、糊代２１２の表面に接着剤を塗布した後、内筒部２１を円筒状に丸めて内筒部２１の裏面側左端縁部裏面に貼着し、上下両端が開口された円筒体を形成する。次いで、円筒体状の内筒部２１における折り返し形成部２１４が上方に位置するように、円筒体状の内筒部２１を上下反転させて倒立させた後、底面板２２の折り返し形成部２２２を折り目２２ａに沿って立ち上げ、折り返し部２２２Ａ（図３参照）を形成するとともに、底面板２２の折り返し部２２２Ａの外周面に接着剤を塗布し、円筒体状の内筒部２１の内方に嵌挿し、その内周面に貼着する。この際、円筒体状の内筒部２１における内筒本体２１１と折り返し形成部２１４との折り目２１ｂに、底面板２２の折り返し部２２２Ａの上端縁を沿わせて貼着する。次いで、円筒体状の内筒部２１の折り返し形成部２１４の内周面に接着剤を塗布し、折り目２１ｂに沿って内筒部２１の内方に向けて折り込んで折り返し部２１４Ａ（図３参照）を形成し、先に貼着した底面板５の折り返し部２２２Ａの内周面に貼着する。
【００２７】
底面板２２を貼着したならば、円筒体状の内筒部２１におけるカーリング形成部２１３が上方に位置するように、円筒体状の内筒部２１を再び上下反転させて正立させた後、内筒部２１のカーリング形成部２１３を内方にカーリングし、内方カーリング部２１３Ａ（図３参照）を形成する。そして、底面板２２が貼着されて下端側開口部が閉鎖された円筒体状の内筒部２１の内部に設定個数のガムを供給した後、内方カーリング部２１３Ａの頂部に接着剤を塗布し、シール材２３の周縁を貼着すれば、内部にガムが収容された内筒体２を形成することができる。
【００２８】
これにより、製造工程において、内筒体２の内部に異物が混入する機会を可及的に削減することができる。
【００２９】
一方、図６の展開図にしたがってコートボールから外筒部３１および天面板３２を打ち抜く。そして、外筒部３１の裏面が上面を向くように反転させた後、糊代３１２の表面に接着剤を塗布した後、外筒部３１を円筒状に丸めて外筒部３１の裏面側左端縁部裏面に貼着し、上下両端が開口された円筒体を形成する。次いで、円筒体状の外筒部３１におけるカーリング形成部３１２が上方に位置するように、円筒体状の外筒部３１を正立させた後、外筒部３１のカーリング形成部３１２を内方カーリングし、内方カーリング部３１２Ａ（図４参照）を形成する。そして、内方カーリング部３１２Ａの頂部に接着剤を塗布し、天面板３２の周縁を貼着すれば、外筒体３を形成することができる。
【００３０】
なお、天面板３２の裏面には、ガムの噛みかすを包み込んで廃棄するための包み紙１０が貼り付けられている。
【００３１】
ガムが収容されて密閉された内筒体２および外筒体３を形成したならば、内筒体２の上方から外筒体３を嵌め合わせ、内筒体２の外周面に外筒体３の内周面を嵌挿し、紙缶容器１を形成する。この後、詳細には図示しないが、紙缶容器１はフィルムで包装されて出荷される。
【００３２】
一方、店頭にてガムを購入した消費者はフィルムを剥離した後、外筒体３の切り裂き目３１ｃよりも上方部分を把持して上方に引き上げることにより、外筒体３の上方部分を回動させて、内筒体２の上端部を開放させることができる。
【００３３】
すなわち、外筒体３の上方部分を把持し、楕円状穴３１ｄの周縁に指先をかけながら上方に持ち上げる方向に回動操作すると、外筒体３に形成された切り裂き目３１ｃが切り裂かれ、糊代３１２および該糊代３１２に貼着された外筒部３１の側端縁部を除いて上方部分と下方部分とに切り離される。そして、糊代３１２および該糊代３１２に貼着された外筒部３１の側端縁部に形成された折り目３１ｂ，３１ｂをヒンジとして切り離された外筒体３の上方部分が回動し、内筒体２の上端部を開放させることができる。
【００３４】
内筒体２の上端部を開放させたならば、内筒体２のシール材２３の摘まみ部２３１を摘んで引き上げれば、シール材２３を内筒体２の上端開口から引き剥がして、その上端開口を開放させることができる。したがって、内筒体２に収容されたガムをその上端開口を通して取り出すことができる。
【００３５】
一方、ガムを取り出した後、上端開口を閉鎖する場合は、外筒体３の上方部分を把持して押し下げれば、糊代３１２および該糊代３１２に貼着された外筒部３１の側端縁部に形成された折り目３１ｂ，３１ｂをヒンジとして外筒体３の上方部分が回動し、内筒体２の外周面に嵌合されて、その上端部を閉鎖することができる。
【００３６】
これにより、切り裂き目３１ｃが形成されていない部分、すなわち、糊代３１２および該糊代３１２が貼着された外筒本体３１１の側端縁部に形成された折り目３１ｂ，３１ｂをヒンジとして切り離された外筒体３の上方部分が回動することから、蓋体としての外筒体３の上方部分の脱落を防止することができる。また、外筒体３の内周面に嵌挿された内筒体２が外筒体２の上方部分の開閉時のガイドとして機能することから、内筒体２の上端部を容易に開放し、あるいは、閉鎖することができるとともに、外筒体３の外周面に凹凸が発生せず、外周面に広告宣伝を施す際に違和感が発生することがなく、意匠性に優れたものとなる。
【００３７】
さらに、内筒体２のシール材２３を引き剥がした後においても、外筒体３の上方部分を蓋体として活用することができることから、内筒体２に収容されたガムの密閉性を確保することができ、衛生的である。
【００３８】
なお、前述した実施形態においては、内筒体の収容商品としてガムを例示したが、ガムに限定されるものではなく、多様な商品を収容することができる。
【符号の説明】
【００３９】
１  紙缶容器
２  内筒体
２１  内筒部
２１１  内筒本体
２１３Ａ  内方カーリング部
２１４Ａ  折り返し部
２２  底面板
２２１  底面本体
２２２Ａ  折り返し部
２３  シール材
３  外筒体
３１  外筒部
３１１  外筒本体
３１２Ａ  内方カーリング部
３１ｂ  折り目（ヒンジ）
３１ｃ  切り裂き目
３２  天面板
【図１】
2010254319.tif 000003
【図２】
2010254319.tif 000004
【図３】
2010254319.tif 000005
【図４】
2010254319.tif 000006
【図５】
2010254319.tif 000007
【図６】
2010254319.tif 000008